(57)【要約】【課題】  吸込グリルの昇降駆動装置を簡単な構造で且つ安価にした天井埋込型空気調和機を提案する。【解決手段】吸い込みグリルの上面四隅にはそれぞれ吊紐の通過部が設けられ、前記化粧パネルの上面には前記吊紐を巻き上げる昇降モータが取り付けられ、前記吊紐は、一端が前記昇降モータにより巻き上げられ、他端が前記化粧パネル６に固着され、途中で前記吸い込みグリルの隣接する二つの吊紐の通過部を連続して通過する。そのため例え吊紐が伸びても吸込グリルの平衡を容易に保てる昇降駆動装置を簡単な構成で実現することができ、故障が少なく安価な天井埋込型空気調和機を実現できる。【選択図】      図１
2006132934.tif 000002
【特許請求の範囲】
【請求項１】
上面にフィルター２１が置かれ化粧パネル６に内挿される吸い込みグリル７を、吊紐３１を介して前記化粧パネル６に対し昇降可能に構成したグリル昇降装置を備えた天井埋込型空気調和機において、前記吸い込みグリル７の上面四隅にはそれぞれ吊紐３１の通過部３３ａ、３３ｂ、３３ｃ、３３ｄが設けられ、前記化粧パネル６の上面には前記吊紐３１を巻き上げる昇降モータ２７が取り付けられ、前記吊紐３１は、一端が前記昇降モータ２７により巻き上げられ、他端が前記化粧パネル６に固着され、途中で前記吸い込みグリル７の隣接する二つの吊紐通過部３３ａ、３３ｂ、及び３３ｃ、３３ｄを連続して通過するグリル昇降装置を備えた天井埋込型空気調和機。
【発明の詳細な説明】
【技術分野】
【０００１】
この発明は、天井に配置される化粧パネルを有する天井埋込型空気調和機の吸込グリルの取付構造に関する。
【背景技術】
【０００２】
一般に、天井設置の化粧パネルに吸込グリルを設け、この吸込グリルにフィルタを備えた天井埋込型空気調和機が知られている。この種のものは、化粧パネルから吸込グリルを取り外すことでフィルタを取り外すことができ、フィルタの清掃時の着脱作業が容易になる利点があった。しかしながら、天井埋込型の空気調和機では、化粧パネルが天井に配置されるので、吸込グリルの取り外し作業を高所で行っていた。そのため、フィルタの取り外し作業が煩雑になっていまい、実際にはフィルタの清掃があまり行われないことがあった。
【０００３】
そこでこの問題を解消するために、化粧パネルの内部に昇降用モータを配置し、この昇降用モータを用いて化粧パネルの下面に対して吸込グリルを昇降自在に支持することが考えられている。この場合、フィルタの交換時に吸込グリルを低所に降下させることができるので、低所でフィルタ交換をすることができる。
【０００４】
この吸込グリルの昇降駆動装置は、吸込グリルの４隅に吊り紐の一端を固定し、その各吊り紐の他端をプーリに巻回させている。このプーリはシャフトに連結され、このシャフトと昇降用モータを連結している。そして吸込グリルを降下させるときは、昇降用モータによってプーリを回転させて吊り紐を繰り出し、吸込グリルを上昇させるときは、昇降用モータによってプーリに吊り紐を巻き戻している。
【特許文献１】特開平６−３２３５６５号公報
【発明の開示】
【発明が解決しようとする課題】
【０００５】
しかしながら従来の吸込グリルの昇降駆動装置では、駆動系を昇降用モータ、複数のプーリ、シャフト、ギアなどの連結機構によって構成している。つまり吊り紐を巻回するプーリを例えば４つ設け、プーリをシャフトによって連結している。このシャフトと昇降用モータをギアなどの連結機構によって連結し、昇降用モータの駆動力をシャフトを介して各プーリに伝達している。このとき各プーリは同期して回転するようになっている。このように昇降駆動装置は駆動部分が多く、構成が複雑であった。そのために故障も生じやすく、高価であった。
【０００６】
また、長期間使用していると吊り紐の長さがアンバランスになり、吸込グリルの上限位置で吸込グリルが傾いたままになり、吸込グリルと化粧パネルの間に隙間を生じることがあった。そこでこの不具合を防止するために、吸込グリルの上限で吊り紐の長さを調整する機能が必要であり、そのため昇降駆動装置が更に高価になってしまう。
【課題を解決するための手段】
【０００７】
即ち、請求項１の発明は、上面にフィルターが置かれ化粧パネルに内挿される吸い込みグリルを、ワイヤを介して前記化粧パネルに対し昇降可能に構成したグリル昇降装置を備えた天井埋込型空気調和機において、前記吸い込みグリル７の上面四隅にはそれぞれ吊紐の通過部が設けられ、前記化粧パネルの上面には前記吊紐を巻き上げる昇降モータが取り付けられ、前記吊紐は、一端が前記昇降モータにより巻き上げられ、他端が前記化粧パネル６に固着され、途中で前記吸い込みグリルの隣接する二つのワイヤ通過部を連続して通過する。
【発明の効果】
【０００８】
以上詳述した如く請求項１の発明によれば、吸い込みグリルの上面四隅にはそれぞれ吊紐の通過部が設けられ、前記化粧パネルの上面には前記吊紐を巻き上げる昇降モータが取り付けられ、前記吊紐は、一端が前記昇降モータにより巻き上げられ、他端が前記化粧パネル６に固着され、途中で前記吸い込みグリルの隣接する二つのワイヤ通過部を連続して通過する。そのため例え吊り紐が伸びても吸込グリルの平衡を容易に保てる昇降駆動装置を簡単な構成で実現することができ、故障が少なく安価な天井埋込型空気調和機を実現できる。
【発明を実施するための最良の形態】
【０００９】
以下、この発明の実施の形態を図面に基づいて説明する。図１はこの発明の天井埋込型空気調和機の実施の形態を示す斜視図であり、図２は化粧パネルの平面図であり、図３は吸込グリルを吊り下げた状態を示す斜視図であり、図４は一般的な天井埋込型空気調和機の縦断面図である。
【００１０】
図４において１は空気調和機であり、天井内部２に収納される板金製のユニット本体３と、天井穴４を塞ぐように天井面５に設けられている化粧パネル６と、この化粧パネル６に配設される吸込グリル７により構成されている。化粧パネル６は中央に吸込口８を外周部の４辺に吹出口９を有し、吸込グリル７は中央に吸込口１０を形成している。
【００１１】
１１はターボファン１２と天板１３に取付けられたファン用モータ１４とからなる送風機、１５は吸気口１０からの室内空気をターボファン１２に案内するノズル口、１６は内側立上がり部１６ａと外側立上がり部１６ｂとを有し、角張った環形状に発泡スチロールで形成されたドレンパン、１７はターボファン１２の吐出側にこのファンを取り囲むように環状に配置されたプレートフィン型熱交換器である。そして、１８はユニット本体３の周面に巻き付けられた断熱材、１９は前記熱交換器１７で熱交換された空気を吹出口９へ導く導風部、２０はユニット本体３を吊具で天井梁に吊下げるための吊下げボルト、２１は吸込グリル７下流側に取付けられたフィルタである。
【００１２】
図１に示すように、ユニット本体３の開口部内には第１支持板２２が延在しており、第１支持板２２上には後述する駆動系が載置されている。この第１支持体２２は、図２に示すように、化粧パネル６に固定されている。この第１支持体２２と対向するように、ユニット本体３の開口部内には第２支持体２３が延在しており、第２支持体２３の上部に電装箱２４が配設している。この電装箱２４は空気調和機１の制御を司っており、ユニット本体３に固定される。第１及び第２支持板２２、２３はユニット本体３の開口部に延在しているが、これらの存在が空気取込機能を阻害することはなく、残りの空間において十分空気を取り込みできるように形成されている。
【００１３】
吸込グリル７を昇降する駆動系は、主プーリ２５、シャフト２６、昇降用モータ２７等から構成されている。主プーリ２５には中央に孔が空いており、その孔にシャフト２６を挿入してネジなどで固定している。シャフト２６は第１支持板２２上に二つの軸受け２８を介して回転自在に支持されており、シャフト２６の軸部のほぼ中央にはギア２９が固定されている。このギア２９にはギア３０が噛み合っており、このギア３０は昇降用モータ２７の出力軸に固定されている。そしてシャフト２６と昇降用モータ２７がギア２９、３０を介して連結されているので、この昇降用モータ２７が駆動するとシャフト２６が回転し、更に主プーリ２５も回転する。
【００１４】
主プーリ２５には吊り紐３１の一端が固定され、吊り紐３１を巻回している。吊り紐３１には樹脂ワイヤ或いは金属ワイヤの外周にビニールコーティングを施したものが使用されるが、ダイヤルコードであってもよい。そして主プーリ２５の一部が第１支持板２２の先端よりも先になるように配置され、吊り紐３１は第１支持板２２の先から吸込グリル７側に垂れている。なお、第１支持板２２に吊り紐３１が垂れ下がるための孔を形成してもよい。
【００１５】
３２は吊り紐３１の一端が第１支持板２２に固定された固定部である。この固定部３２は、その下に吸込グリル７の後述する補助プーリ３３が位置するようになっている。
【００１６】
主プーリ２５の周辺には位置検出センサ３４が設けられており、この位置検出センサ３４は吸込グリル７の位置を吊り紐３１の繰り出し長さにより検出する。具体的には、この吊り紐３１の繰り出し長さは、主プーリ２５に巻回された吊り紐３１の巻数（高さ）で検出する。
【００１７】
化粧パネル６には、図１に示すように、吸込グリル７を昇降させるためのプルスイッチ（操作スイッチ）３５が設けられており、このプルスイッチ３５によって昇降用モータが２７駆動する。なお、操作スイッチとしてはプルスイッチ３５に限定されるものではない。例えば、壁掛け式などの固定式スイッチにしておいて、この固定式スイッチを昇降用モータ２７にケーブル接続してもよい。
【００１８】
第２支持板２３には２つの補助プーリ３６が載置されている。図５はこの補助プーリ３６の斜視図である。この補助プーリ３６は中央に孔が空いており、この孔に軸３７を挿入して、補助プーリ３６を軸３７に対して空回り自在に遊嵌させている。この軸３７は軸受け３８に固定され、軸受け３８を第２支持板２３に固定している。そして補助プーリ３６は第２支持板２２に回動自在に支持されている。なお、補助プーリ３６の厚みは１本の吊り紐３１が掛かる幅があればよく、主プーリ２５よりも薄くなっている。
【００１９】
第２支持板２３には、補助プーリ３６の付近に補助孔３９が形成されており、この補助孔３９の下には吸込グリル７の補助プーリ３３が位置している。この２つの補助プーリ３６は、同じ方向に配設されている。なお、この実施の形態における補助プーリ３６の向きとは、図５の矢印の方向であり、補助プーリ３６を支持する軸３７と垂直な方向である。そして吸込グリル７の補助プーリ３３からの吊り紐３１が補助孔３９を通って補助プーリ３６に掛かり、その後もう一方の補助プーリ３６に掛かって再び吸込グリル７側に下がっている。
【００２０】
吸込グリル７の四隅には補助プーリ３３が配設されている。この補助プーリ３３は第２支持部２３に固定された補助プーリ３６と同じ構成であり、吸込グリル７に回動自在に配設されている。
【００２１】
各補助プーリ３３は、補助プーリ３３ａと補助プーリ３３ｂがその向きが同一線上になるように配置され、補助プーリ３３ｃと補助プーリ３３ｄがその向きが同一線上になるように配置されている。そして吸込グリル７を化粧パネル６に配置したときに、補助プーリ３３ａの上に主プーリ２５が位置し、補助プーリ３３ｂの上に補助プーリ３６ａが位置し、補助プーリ３３ｃの上に補助プーリ３６ｂが位置し、補助プーリ３３ｄの上には固定部３２が位置する。そして吊り紐３１は、主プーリ２５、補助プーリ３３ａ、補助プーリ３３ｂ、補助プーリ３６ａ、補助プーリ３６ｂ、補助プーリ３３ｃ、補助プーリ３３ｄの順に掛けられ、固定部３２で固定される。
【００２２】
次にこの実施の形態の動作を説明する。例えば、引き下げ棒などを用意して、これを用いてプルスイッチ３５を引くと、昇降用モータ２７が正逆転して駆動系が駆動される。つまり始めにプルスイッチ３５を引くと昇降用モータ２７が正転して、主プーリ２５から吊り紐３１が繰り出される。すると各補助プーリ３３、３６を介して吊り紐が緩み、吸込グリル７が徐々に略水平に降下を開始する。次に、プルスイッチ３５を操作すると、昇降用モータ２７が停止して吊り紐３１の繰り出しが止まるので、吸込グリル７の略水平な降下が停止する。更にプルスイッチ３５を操作すると、昇降用モータ２７が今度は逆転して、吊り紐３１が主プーリ２５に巻き取られ、吸込グリル７が略水平に上昇に転じる。そして更にプルスイッチ３５を操作すると、昇降用モータ２７が停止して、その位置で吸込グリル７が略水平な上昇が停止する。このときプルスイッチ３５を操作せず吊り紐３１を巻き取ってしまうと、吸込グリル７が上限に達して化粧パネル６に隙間なく当接したことを位置検出センサ３４で検知し、昇降用モータ２７を停止させる。
【００２３】
この発明では、１本の吊り紐３１によって吸込グリル７を昇降させるので、例え吊り紐３１が伸びたりしても吸込グリル７を平衡を保って昇降できる。そのため常に吸込グリル７を化粧パネル６に隙間なく当接することができる。
【００２４】
この実施の形態では補助プーリ３３、３６を用いたが、吊り紐３１を挿入可能に支持できるものであればよく、ロープガイドなどを利用してもよい。
【図面の簡単な説明】
【００２５】
【図１】この実施の形態の天井埋込型空気調和機の斜視図である。
【図２】この実施の形態の化粧パネルの平面図である。
【図３】この実施の形態の吸込グリルを吊り下げた状態を示す斜視図である。
【図４】この実施の形態の天井埋込型空気調和機の縦断面図である。
【図５】この実施の形態の補助プーリの斜視図である。
【符号の説明】
【００２６】
１    空気調和機
６    化粧パネル
７    吸込グリル
２５  主プーリ
２７  昇降用モータ
３１  吊り紐
３２  固定部
３３  補助プーリ
３６  補助プーリ
【図１】
2006132934.tif 000003
【図２】
2006132934.tif 000004
【図３】
2006132934.tif 000005
【図４】
2006132934.tif 000006
【図５】
2006132934.tif 000007